(57)【要約】【課題】ユーザのニーズや無線通信環境に応じた適切な録画制御を行う。【解決手段】携帯電話機１００は、３Ｇ無線通信方式／ＬＴＥ無線通信方式によって無線通信を行う３Ｇ無線制御部２０２／ＬＴＥ無線制御部２０３を備える。携帯電話機１００は、３Ｇ無線通信方式又はＬＴＥ無線通信方式のいずれかにより確立された無線通信路でテレビ電話通信を実行するテレビ電話制御部２１０を備える。携帯電話機１００は、テレビ電話通信の内容の記録を要求する録画要求を受け付ける入力制御部２１８を備える。携帯電話機１００は、録画要求を受けた場合に、３Ｇ無線通信方式又はＬＴＥ無線通信方式から他方の無線通信方式に切り替える３Ｇ・ＬＴＥ切り替え制御部２０４を備える。携帯電話機１００は、切り替えた無線通信方式による無線通信路が確立された場合、切り替え後の無線通信路でのテレビ電話通信の内容を記憶媒体に記録する録画部を備える。【選択図】図２
2012199712.tif 000002
【特許請求の範囲】
【請求項１】
第一の無線通信方式及び第二の無線通信方式の無線通信方式によって無線通信が可能な機能を備えた電子機器であって、
前記第一の無線通信方式又は前記第二の無線通信方式のいずれかにより確立された無線通信路でテレビ電話通信を実行するテレビ電話制御部と、
前記テレビ電話通信の内容の記録を要求する録画要求を受け付ける録画要求受付部と、
前記録画要求を受けた場合に、前記確立された無線通信路に係る前記第一の無線通信方式又は前記第二の無線通信方式から他方の無線通信方式に切り替える無線通信方式切り替え部と、
前記切り替えた無線通信方式による無線通信路が確立された場合、当該切り替え後の無線通信路でのテレビ電話通信の内容を記憶媒体に記録する録画部と、
を備えることを特徴とする電子機器。
【請求項２】
前記切り替えた無線通信方式による無線通信路が確立された場合、前記切り替え後の無線通信方式に応じて、前記テレビ電話通信における符号化方式を切り替える符号化方式切り替え部、
をさらに備えることを特徴とする請求項１に記載の電子機器。
【請求項３】
前記第二の無線通信方式による無線通信は、前記第一の無線通信方式による無線通信よりも理論上のデータ伝送速度が高速なものであり、
前記無線通信方式切り替え部は、前記第二の無線通信方式により確立された無線通信路でテレビ電話通信を実行している場合には、前記録画要求を受けた場合の前記無線通信方式の切り替えを実行しない、
ことを特徴とする請求項１又は２に記載の電子機器。
【請求項４】
前記録画要求を受けた場合に、前記他方の無線通信方式への切り替え要求を、前記切り替え前の通信方式により確立された前記無線通信路を構成する無線基地局に送信する切り替え要求送信部、
をさらに備え、
前記無線通信方式切り替え部は、前記切り替え要求を送信したことに応じて前記テレビ電話通信の相手先装置からの許可応答を前記無線基地局を介して受けたら、前記切り替え処理を実行する、
ことを特徴とする請求項１乃至３のいずれかに記載の電子機器。
【請求項５】
前記テレビ電話通信の内容が予め設定した条件に該当するか否かを監視する監視部と、
前記監視部によって前記所定の条件に該当することが検知された場合に、前記録画要求受付部に対して登録要求を発行する登録要求発行部と、
をさらに備えることを特徴とする請求項１乃至４のいずれかに記載の電子機器。
【請求項６】
前記無線通信方式切り替え部は、前記録画要求を受けた際の無線通信方式と、前記録画要求を受けた際の前記記憶媒体の空き容量とに基づいて、前記無線通信方式を切り替えるか否かを判定する
ことを特徴とする請求項１乃至５のいずれかに記載の電子機器。
【請求項７】
第一の無線通信方式及び第二の無線通信方式の無線通信方式によって無線通信が可能な機能を備えた電子機器において実行される録画制御プログラムであって、
前記第一の無線通信方式又は前記第二の無線通信方式のいずれかにより確立された無線通信路でテレビ電話通信を実行する手順と、
前記テレビ電話通信の内容の記録を要求する録画要求を受け付ける手順と、
前記録画要求を受けた場合に、前記確立された無線通信路に係る前記第一の無線通信方式又は前記第二の無線通信方式から他方の無線通信方式に切り替える手順と、
前記切り替えた無線通信方式による無線通信路が確立された場合、当該切り替え後の無線通信路でのテレビ電話通信の内容を記憶媒体に記録する手順と、
を電子機器に実行させることを特徴とする録画制御プログラム。
【発明の詳細な説明】
【技術分野】
【０００１】
本発明は、電子機器、及び録画制御プログラムに関する。
【背景技術】
【０００２】
従来、携帯電話機などの電子機器では、音声通話を行うだけではなく、通信相手の電子機器に搭載されたカメラで撮像された風景又は通信相手の顔などの動画像をリアルタイムで受信しながら音声通話を行うテレビ電話機能が知られている。
【０００３】
このようなテレビ電話機能を用いることにより、例えば、旅行中の友人から旅行先の風景の動画像を受信し、受信した動画像を電子機器の記憶媒体に録画することができる。しかしながら、従来のテレビ電話機能では、テレビ電話で送られる動画像は解像度が比較的低いので、記憶媒体に保存した動画像を後から再生したり編集したりするのには向いていなかった。
【０００４】
これに対して近年、次世代通信規格としてＬＴＥ（Long Term Evolution）通信規格が普及しつつある。ＬＴＥ通信規格は、高速パケット通信機能付き携帯電話機及び基地局装置を使った次世代通信環境であり、例えば下り１００Ｍｂｐｓ／上り５０Ｍｂｐｓの高速通信が可能となる。ＬＴＥ通信規格によるテレビ電話機能を用いることにより、携帯電話機をパケット接続し、高画質な動画像をリアルタイムに受信することが可能となる。
【先行技術文献】
【特許文献】
【０００５】
【特許文献１】特開２００１−５９５０号公報
【発明の概要】
【発明が解決しようとする課題】
【０００６】
しかしながら、従来技術は、単にリアルタイムで受信した動画像を記憶媒体に録画するだけである。このため、従来技術は、ユーザのニーズや無線通信環境を考慮して録画制御を実行することは考慮されていない。
【０００７】
開示の技術は、上記に鑑みてなされたものであって、ユーザのニーズや無線通信環境に応じた適切な録画制御を行うことができる電子機器、及び録画制御プログラムを実現することを目的とする。
【課題を解決するための手段】
【０００８】
本願の開示する電子機器は、一つの態様において、第一の無線通信方式及び第二の無線通信方式の無線通信方式によって無線通信が可能な機能を備える。また、電子機器は、前記第一の無線通信方式又は前記第二の無線通信方式のいずれかにより確立された無線通信路でテレビ電話通信を実行するテレビ電話制御部を備える。また、電子機器は、前記テレビ電話通信の内容の記録を要求する録画要求を受け付ける録画要求受付部を備える。また、電子機器は、前記録画要求を受けた場合に、前記確立された無線通信路に係る前記第一の無線通信方式又は前記第二の無線通信方式から他方の無線通信方式に切り替える無線通信方式切り替え部を備える。また、電子機器は、前記切り替えた無線通信方式による無線通信路が確立された場合、当該切り替え後の無線通信路でのテレビ電話通信の内容を記憶媒体に記録する録画部を備える。
【発明の効果】
【０００９】
本願の開示する電子機器の一つの態様によれば、ユーザのニーズや無線通信環境に応じた適切な録画制御を行うことができる。
【図面の簡単な説明】
【００１０】
【図１】図１は、実施例１に係る携帯電話機のハードウェア構成を示す図である。
【図２】図２は、実施例１に係る携帯電話機の機能ブロックを示す図である。
【図３】図３は、実施例１に係る携帯電話機の処理の概要を示す図である。
【図４】図４は、実施例１に係る携帯電話機の処理を示すフローチャートである。
【図５】図５は、実施例２に係る携帯電話機の機能ブロックを示す図である。
【図６】図６は、実施例２に係る携帯電話機の処理を示すフローチャートである。
【図７】図７は、実施例３に係る携帯電話機の処理を示すフローチャートである。
【図８】図８は、実施例３に係る携帯電話機の処理を示すフローチャートである。
【発明を実施するための形態】
【００１１】
以下に、本願の開示する電子機器、及び録画制御プログラムの実施例を図面に基づいて詳細に説明する。なお、この実施例により開示技術が限定されるものではない。例えば、以下の実施例では、電子機器の一例として携帯電話機を挙げて説明するが、これに限らず、無線通信機能を備えた電子機器であればよい。
【実施例１】
【００１２】
図１は、実施例１に係る携帯電話機のハードウェア構成を示す図である。図１に示すように、実施例１の携帯電話機１００は、アンテナ１０２、３Ｇ（Third Generation）無線通信部１０４、ＬＴＥ無線通信部１０５、表示部１０６、マイク１０８、スピーカ１１０、及び音声入出力部１１２を備える。また、携帯電話機１００は、メモリ１３０、SD(Secure  Digital)カード挿入スロット１３５、キー制御部１３８、およびプロセッサ１４０を備える。SDカード挿入スロット１３５には、SDカード１３６が挿入される。
【００１３】
３Ｇ無線通信部１０４は、第３世代通信規格（３Ｇ）に準拠してアンテナ１０２を介して音声や文字などの各種データの無線通信を行う。また、ＬＴＥ無線通信部１０５は、ＬＴＥ通信規格に準拠してアンテナ１０２を介して音声や文字などの各種データの無線通信を行う。なお、ＬＴＥ通信規格の無線通信方式による無線通信は、第３世代通信規格の無線通信方式による無線通信よりも理論上のデータ伝送速度が高速なものである。
【００１４】
また、表示部１０６は、文字や画像などの各種情報を表示する液晶パネルなどの出力インターフェースである。また、キー制御部１３８は、携帯電話機１００に設けられたキーによる入力操作を受け付ける入力インターフェースである。また、音声入出力部１１２は、マイク１０８を介して音声を入力するとともにスピーカ１１０を介して音声を出力する入出力インターフェースである。
【００１５】
メモリ１３０は、携帯電話機１００の各種機能を実行するためのデータを格納するＲＯＭ(Read  Only  Memory)１３２と、各種機能を実行するための各種プログラムを格納するＲＡＭ（Random  Access  Memory）１３４とを有する。
【００１６】
SDカード挿入スロット１３５は、例えば携帯電話機１００の側面などに形成されたSDカード１３６の差込口である。SDカード１３６は、SDカード挿入スロット１３５を介して携帯電話機１００に対して挿抜可能であり、文字、画像及び音声などの各種情報を格納することができる情報記憶媒体である。
【００１７】
プロセッサ１４０は、ＲＯＭ１３２又はＲＡＭ１３４に格納された各種プログラムを実行するＣＰＵ（Central  Processing  Unit）等の演算処理部である。プロセッサ１４０は、ＲＯＭ１３２又はＲＡＭ１３４に格納された各種プログラムを実行することにより、上述した３Ｇ無線通信部１０４、ＬＴＥ無線通信部１０５、表示部１０６、および音声入出力部１１２を制御する。なお、プロセッサ１４０で実行されるプログラムは、ＲＯＭ１３２又はＲＡＭ１３４に格納されるだけではなく、ＣＤ(Compact  Disc)−ＲＯＭやメモリ媒体等の頒布できる記憶媒体に記録しておき、記憶媒体から読み出して実行することができる。また、ネットワークを介して接続されたサーバにプログラムを格納し、サーバ上でプログラムが動作するようにしておいて、ネットワークを介して接続される携帯電話機１００からの要求に応じてサービスを要求元の携帯電話機１００に提供することもできる。
【００１８】
図２は、実施例１に係る携帯電話機の機能ブロックを示す図である。図２に示すように、携帯電話機１００は、プロセッサ１４０がＲＯＭ１３２又はＲＡＭ１３４から各種プログラムを読み出して実行することによって実現される機能ブロックとして、３Ｇ無線制御部２０２とＬＴＥ無線制御部２０３とを備える。また、携帯電話機１００は、機能ブロックとして、３Ｇ・ＬＴＥ切り替え制御部２０４と、呼制御部２０６と、エンコーダ／デコーダ制御部２０８と、テレビ電話制御部２１０とを備える。また、携帯電話機１００は、機能ブロックとして、ＬＴＥ画像録画部２１４と、３Ｇ画像録画部２１６と、入力制御部２１８と、表示制御部２２０と、データ部２２２とを備える。
【００１９】
なお、図２においては、説明の便宜上、データ部２２２は、例えば携帯電話機１００の電話帳のデータ、又はユーザが撮影した画像データなどの各種データが格納されるメモリとして表している。データ部２２２の各種データは、例えば、ＲＯＭ１３２、ＲＡＭ１３４、又はSDカード１３６に格納することもできる。
【００２０】
３Ｇ無線制御部２０２は、３Ｇ無線通信部１０４を制御することによって、第３世代通信規格（３Ｇ）に準拠して音声や文字などの各種データの無線通信の制御を実行する。また、３Ｇ無線制御部２０２は、各地に点在する複数の無線基地局のうちの１または複数の無線基地局との間で電波を送受信するとともに、通信ネットワークの状態変化（例えば電波状態の強弱の変化など）を検出する。また、３Ｇ無線通信部１０４は、例えば、第３世代通信規格による無線通信から、ＬＴＥ通信規格による無線通信へ切り替える場合には、切り替え要求を３Ｇ用の基地局に送信する。
【００２１】
ＬＴＥ無線制御部２０３は、ＬＴＥ無線通信部１０５を制御することによって、ＬＴＥ通信規格に準拠して音声や文字などの各種データの無線通信の制御を実行する。また、ＬＴＥ無線制御部２０３は、各地に点在する複数の無線基地局のうちの１または複数の無線基地局との間で電波を送受信するとともに、通信ネットワークの状態変化（例えば電波状態の強弱の変化など）を検出する。また、ＬＴＥ無線制御部２０３は、例えば、ＬＴＥ通信規格による無線通信から、第３世代通信規格による無線通信へ切り替える場合には、切り替え要求をＬＴＥ用の基地局に送信する。
【００２２】
３Ｇ・ＬＴＥ切り替え制御部２０４は、キー制御部１３８及び入力制御部２１８を介して録画要求を受けた場合に、第３世代無線通信規格（３Ｇ）による無線通信方式とＬＴＥ通信規格による無線通信方式との一方の無線通信方式から他方の無線通信方式へ切り替える。例えば、３Ｇ・ＬＴＥ切り替え制御部２０４は、テレビ電話制御部２１０及び呼制御部２０６を介して通信相手の携帯電話機に対して高解像度テレビ電話の送信要求を行い、通信相手の携帯電話機から高解像度テレビ電話の送信要求を受信する。これによって、３Ｇ・ＬＴＥ切り替え制御部２０４は、第３世代無線通信規格による無線通信方式からＬＴＥ通信規格による無線通信方式に切り替える。また、３Ｇ・ＬＴＥ切り替え制御部２０４は、例えば、３Ｇ無線制御部２０２から３Ｇ用の基地局へ切り替え要求を送信したことに応じてテレビ電話通信の相手先装置からの許可応答を３Ｇ用の基地局を介して受けたら、切り替え処理を実行する。また、３Ｇ・ＬＴＥ切り替え制御部２０４は、例えば、ＬＴＥ無線制御部２０３からＬＴＥ用の基地局へ切り替え要求を送信したことに応じてテレビ電話通信の相手先装置からの許可応答をＬＴＥ用の基地局を介して受けたら、切り替え処理を実行する。なお、以下の説明では、適宜、第３世代無線通信規格による無線通信方式を用いたテレビ電話を「３Ｇテレビ電話」といい、ＬＴＥ通信規格による無線通信方式を用いたテレビ電話を「ＬＴＥテレビ電話」という。
【００２３】
呼制御部２０６は、３Ｇ無線制御部２０２及びＬＴＥ無線制御部２０３を介して通信相手の電子機器との音声通話を制御する。エンコーダ／デコーダ制御部２０８は、３Ｇ・ＬＴＥ切り替え制御部２０４による通信方式の切り替えに応じて、送受信する動画像の符号化／復号化の方式を、第３世代通信規格用とＬＴＥ通信規格用との間で切り替える。また、エンコーダ／デコーダ制御部２０８は、３Ｇ・ＬＴＥ切り替え制御部２０４によって切り替えた無線通信方式による無線通信路が確立された場合、切り替え後の無線通信方式に応じて、テレビ電話通信における符号化方式を切り替える。
【００２４】
テレビ電話制御部２１０は、第３世代通信規格及びＬＴＥ通信規格に準拠して、自電子機器で撮像された動画像を通信相手の電子機器へリアルタイム送信するとともに、通信相手の電子機器で撮像された動画像をリアルタイムで受信する制御を行う。
【００２５】
ＬＴＥ画像録画部２１４は、ＬＴＥ通信規格に準拠して通信相手の電子装置から送信された動画像を自携帯電話機１００のＲＯＭ１３２、ＲＡＭ１３４、又はＳＤカード１３６などの記憶媒体に保存する。ＬＴＥ画像録画部２１４は、例えば、３Ｇ・ＬＴＥ切り替え制御部２０４によって第３世代通信規格による通信方式からＬＴＥ通信規格による通信方式へ切り替えられた場合に、切り替え後の通信路でのＬＴＥテレビ電話通信の内容を記憶媒体に記録する。３Ｇ画像録画部２１６は、第３世代通信規格に準拠して通信相手の電子装置から送信された動画像を自携帯電話機１００のＲＯＭ１３２、ＲＡＭ１３４、又はＳＤカード１３６などの記憶媒体に保存する。３Ｇ画像録画部２１６は、例えば、３Ｇ・ＬＴＥ切り替え制御部２０４によってＬＴＥ通信規格による通信方式から第３世代通信規格による通信方式へ切り替えられた場合に、切り替え後の通信路での３Ｇテレビ電話通信の内容を記憶媒体に記録する。
【００２６】
入力制御部２１８は、携帯電話機１００のキーからの入力指令および表示部１０６の表示上からの入力指令を受け付ける。入力制御部２１８は、例えば、３Ｇテレビ電話又はＬＴＥテレビ電話中にユーザから、テレビ電話通信の内容の記録を要求する録画要求を受け付ける。表示制御部２２０は、表示部１０６に表示する表示画像に関する制御を実行する。
【００２７】
次に、実施例１に係る携帯電話機の処理の概要を説明する。図３は、実施例１に係る携帯電話機の処理の概要を示す図である。図３は、携帯電話機Ａと携帯電話機Ｂとが、３Ｇ用の基地局及びＬＴＥ用の基地局を介して通信する場合に、携帯電話機Ｂから送信された動画像を携帯電話機Ａが録画することを想定した一例である。
【００２８】
図３に示すように、まず、携帯電話機Ａは、３Ｇ用の基地局を介して携帯電話機Ｂへ３Ｇテレビ電話を発信（発呼）する（ステップＳ１０１）。これに対して、携帯電話機Ｂは、携帯電話機Ａから発呼された３Ｇテレビ電話を着信する（ステップＳ１０２）。携帯電話機Ｂは、３Ｇ用の基地局を介して携帯電話機Ａに対して３Ｇテレビ電話の接続許可を行う（ステップＳ１０３）。これによって、携帯電話機Ａと携帯電話機Ｂとは、３Ｇ用の基地局を介して相互に３Ｇテレビ電話を開始する（ステップＳ１０４）。
【００２９】
携帯電話機Ａは、携帯電話機Ａの録画ボタンの押下を検出することにより、３Ｇテレビ電話中にユーザからテレビ電話通信の内容の記録を要求する録画要求を受け付ける（ステップＳ１０５）。携帯電話機Ａは、録画要求を受け付けたら、携帯電話機ＡがＬＴＥ網に在圏しており、かつ、携帯電話機Ａのバッテリーがあらかじめ設定された閾値以上であるか否かを判定する（ステップＳ１０６）。携帯電話機Ａは、携帯電話機ＡがＬＴＥ網に在圏していないか、又は、携帯電話機Ａのバッテリーがあらかじめ設定された閾値より少ない場合には（ステップＳ１０６でＮｏ）、ステップＳ１０５へ戻る。一方、携帯電話機Ａは、携帯電話機ＡがＬＴＥ網に在圏しており、かつ、携帯電話機Ａのバッテリーがあらかじめ設定された閾値以上である場合には（ステップＳ１０６でＹｅｓ）、３Ｇ用の基地局を介してＬＴＥテレビ電話の接続要求を送信する（ステップＳ１０７）。
【００３０】
これに対して携帯電話機Ｂは、３Ｇ用の基地局を介して携帯電話機ＡからＬＴＥテレビ電話の接続要求を受信する（ステップＳ１０８）。携帯電話機Ｂは、携帯電話機ＢがＬＴＥ網に在圏しており、かつ、携帯電話機Ｂのバッテリーがあらかじめ設定された閾値以上であるか否かを判定する（ステップＳ１０９）。携帯電話機Ｂは、携帯電話機ＢがＬＴＥ網に在圏していないか、又は、携帯電話機Ｂのバッテリーがあらかじめ設定された閾値より少ない場合には（ステップＳ１０９でＮｏ）、ステップＳ１０８へ戻る。一方、携帯電話機Ｂは、携帯電話機ＢがＬＴＥ網に在圏しており、かつ、携帯電話機Ｂのバッテリーがあらかじめ設定された閾値以上である場合には（ステップＳ１０９でＹｅｓ）、３Ｇ用の基地局を介してＬＴＥテレビ電話の接続許可の応答を行う（ステップＳ１１０）。
【００３１】
携帯電話機Ｂは、３Ｇ用の基地局に対して３Ｇデタッチ要求を行う（ステップＳ１１１）。同様に、携帯電話機Ａは、３Ｇ用の基地局に対して３Ｇデタッチ要求を行う（ステップＳ１１２）。
【００３２】
携帯電話機Ｂは、ＬＴＥ用の基地局に対してＬＴＥアタッチの要求を行う（ステップＳ１１３）。同様に、携帯電話機Ａは、ＬＴＥ用の基地局に対してＬＴＥアタッチの要求を行う（ステップＳ１１４）。
【００３３】
携帯電話機Ｂは、ＬＴＥ用の基地局からＬＴＥアタッチが正常に行われたことを示す信号を受信する（ステップＳ１１５）。同様に、携帯電話機Ａは、ＬＴＥ用の基地局からＬＴＥアタッチが正常に行われたことを示す信号を受信する（ステップＳ１１６）。
【００３４】
携帯電話機Ａは、ＬＴＥ用の基地局を介して携帯電話機Ｂに対してベアラ接続要求を行う（ステップＳ１１７）。これに対して、携帯電話機Ｂは、ＬＴＥ用の基地局を介して携帯電話機Ａに対してベアラ接続応答を行う（ステップＳ１１８）。これによって、携帯電話機Ａと携帯電話機Ｂとは、ＬＴＥ用の基地局を介して相互にＬＴＥテレビ電話を開始する（ステップＳ１１９）。
【００３５】
続いて、実施例１に係る携帯電話機の処理を詳細に説明する。図４は、実施例１に係る携帯電話機の処理を示すフローチャートである。図４のフローチャートは、図３で説明した携帯電話機の処理をより具体的に示す図である。なお、図４は、携帯電話機Ａと携帯電話機Ｂとが、３Ｇ用の基地局及びＬＴＥ用の基地局を介して通信する場合に、携帯電話機Ｂから送信された動画像を携帯電話機Ａが録画することを想定した一例である。また、図４においては、携帯電話機Ａの機能ブロックと携帯電話機Ｂの機能ブロックとを区別するため、携帯電話機Ｂのテレビ電話制御部を「テレビ電話制御部２１０´」といい、携帯電話機Ｂの呼制御部を「呼制御部２０６´」という。
【００３６】
まず、携帯電話機Ａと携帯電話機Ｂとの間で３Ｇテレビ電話が開始された後、テレビ電話制御部２１０は、入力制御部２１８を介して、ユーザからテレビ電話通信の内容の記録を要求する録画要求を受け付ける（ステップＳ２０１）。テレビ電話制御部２１０は、呼制御部２０６に対して、ＬＴＥテレビ電話の送信要求を行う（ステップＳ２０２）。呼制御部２０６は、携帯電話機Ｂに対して、ＬＴＥテレビ電話の送信要求を行う（ステップＳ２０３）。
【００３７】
一方、テレビ電話制御部２１０´は、携帯電話機ＡからＬＴＥテレビ電話送信要求を受信したら（ステップＳ２０４）、呼制御部２０６´に対して、ＬＴＥテレビ電話送信要求を行う（ステップＳ２０５）。呼制御部２０６´は、ＬＴＥテレビ電話の送信を開始する（ステップＳ２０６）。このように、携帯電話機Ａは、３Ｇ・ＬＴＥ切り替え制御部２０４によって無線通信方式が３Ｇ無線制御部２０２からＬＴＥ無線制御部２０３へと切り替えられ、ＬＴＥ用の基地局を介して携帯電話機Ｂと相互にＬＴＥテレビ電話を開始する。
【００３８】
テレビ電話制御部２１０は、ＬＴＥ画像録画部２１４に対して録画開始要求を行う（ステップＳ２０７）。ＬＴＥ画像録画部２１４は、録画開始要求を受信したら、録画を開始する（ステップＳ２０８）。例えば、ＬＴＥ画像録画部２１４は、ＬＴＥ無線制御部２０３を介して受信された受信信号をエンコーダ／デコーダ制御部２０８でデコードすることにより得られた動画像をデータ部２２２へ格納する。
【００３９】
ＬＴＥ画像を録画している最中に、テレビ電話制御部２１０は、入力制御部２１８を介して、ユーザからテレビ電話通信の内容の記録の録画を終了する終了要求を受け付ける（ステップＳ２０９）。すると、テレビ電話制御部２１０は、ＬＴＥ画像録画部２１４に対して、録画終了の要求を行う（ステップＳ２１０）。ＬＴＥ画像録画部２１４は、録画終了の要求を受信したら、録画を終了する（ステップＳ２１１）。
【００４０】
テレビ電話制御部２１０は、呼制御部２０６に対して、ＬＴＥテレビ電話通信の終了要求を行う（ステップＳ２１２）。呼制御部２０６は、携帯電話機Ｂに対して、ＬＴＥテレビ電話通信の終了要求を送信する（ステップＳ２１３）。
【００４１】
一方、テレビ電話制御部２１０´は、携帯電話機ＡからＬＴＥテレビ電話通信の終了要求を受信したら（ステップＳ２１４）、呼制御部２０６´に対して、ＬＴＥテレビ電話の終了要求を行う（ステップＳ２１５）。呼制御部２０６´は、ＬＴＥテレビ電話通信を終了する（ステップＳ２１６）。これにより、携帯電話機Ａと携帯電話機Ｂとの間のＬＴＥテレビ電話は終了する。
【００４２】
テレビ電話制御部２１０は、３Ｇテレビ電話に戻るか否かを判定する（ステップＳ２１７）。例えば、テレビ電話制御部２１０は、表示部１０６に３Ｇテレビ電話に戻るか否かを選択すべき旨の表示を行い、ユーザにいずれかを選択させる。そして、テレビ電話制御部２１０は、入力制御部２１８を介して入力された信号が、３Ｇテレビ電話に戻ることを示している場合には（ステップＳ２１７でＹｅｓ）、ステップＳ２０１へ戻ってステップＳ２０１以降の処理を繰り返す。一方、テレビ電話制御部２１０は、入力制御部２１８を介して入力された信号が、３Ｇテレビ電話に戻らないことを示している場合には（ステップＳ２１７でＮｏ）、３Ｇテレビ電話を終了する。
【００４３】
以上のように、実施例１の携帯電話機によれば、３Ｇテレビ電話による通話中に録画要求を受け付けた場合に、３Ｇテレビ電話からＬＴＥテレビ電話へ切り替えて、ＬＴＥ動画像を録画する。これにより、実施例１の携帯電話機は、ユーザのニーズに応じた高画質な動画像を記憶媒体へ録画することができる。なお、実施例１は、３Ｇテレビ電話による通話中に録画要求を受け付けた場合に、３Ｇテレビ電話からＬＴＥテレビ電話へ切り替えて、ＬＴＥ動画像を録画する例を示したが、これには限られない。例えば、携帯電話機１００は、ＬＴＥテレビ電話による通話中に録画要求を受け付けた場合に、ＬＴＥテレビ電話から３Ｇテレビ電話へ切り替えて、３Ｇ動画像を録画することもできる。これによれば、無線通信環境に応じて通信負荷を軽減することができるとともに、携帯電話機の記憶媒体の録画容量の節約を実現することができる。また、携帯電話機１００は、例えば、ＬＴＥテレビ電話による通話中に録画要求を受け付けた場合には、３Ｇテレビ電話へ切り替えないようにすることもできる。
【００４４】
なお、実施例１においては、携帯電話機Ａのユーザが３Ｇテレビ電話を発信し、動画像の録画を要求するのも携帯電話機Ａのユーザであるので、３Ｇテレビ電話及びＬＴＥテレビ電話による通信料金は、携帯電話機Ａのユーザが負担するのが一般的である。これに対して、例えば、携帯電話機Ａのユーザが３Ｇテレビ電話を発信し、携帯電話機ＢのユーザがＬＴＥテレビ電話による動画像の録画要求を行った場合を考える。この場合には、３Ｇテレビ電話の通信料金を携帯電話機Ａのユーザが負担し、ＬＴＥテレビ電話の通信料金を携帯電話機Ｂのユーザが負担するような、料金体系を採用することができる。また、ＬＴＥテレビ電話は、高解像度の画像の通信を行うため、通信パケット量が増大して通信料金が高額になることが考えられる。そこで、定額料金によるパケット通信し放題の料金体系を設けて、ＬＴＥテレビ電話による動画像の録画を行っている間の通信料を定額とすることもできる。
【００４５】
なお、実施例１は、主に電子機器を中心に説明したが、これに限らず、あらかじめ用意された録画制御プログラムをコンピュータで実行することによって、上述の実施例１と同様の機能を実現することができる。すなわち、録画制御プログラムは、第一の無線通信方式及び第二の無線通信方式の無線通信方式によって無線通信が可能な機能を備えた電子機器に、第一の無線通信方式又は第二の無線通信方式のいずれかにより確立された無線通信路でテレビ電話通信を実行する手順を実行させる。また、録画制御プログラムは、電子機器に、テレビ電話通信の内容の記録を要求する録画要求を受け付ける手順を実行させる。また、録画制御プログラムは、電子機器に、録画要求を受けた場合に、確立された無線通信路に係る第一の無線通信方式又は第二の無線通信方式から他方の無線通信方式に切り替える手順を実行させる。また、録画制御プログラムは、電子機器に、切り替えた無線通信方式による無線通信路が確立された場合、当該切り替え後の無線通信路でのテレビ電話通信の内容を記憶媒体に記録する手順を実行させる。なお、録画制御プログラムは、インターネットなどの通信ネットワークを介してコンピュータに配布することができる。また、録画制御プログラムは、コンピュータに設けられたメモリ、ハードディスク、その他のコンピュータで読み取り可能な記憶媒体に記録され、コンピュータによって記憶媒体から読み出されることによって実行することもできる。
【実施例２】
【００４６】
次に、実施例２に係る携帯電話機について説明する。実施例２に係る携帯電話機は、実施例１に係る携帯電話機に録画開始判定部２２４が追加され、データ部２２２に録画開始判定用の画像が格納される点が異なる以外は実施例１と同様であるため、実施例１と重複する説明を省略する。
【００４７】
図５は、実施例２に係る携帯電話機の機能ブロックを示す図である。図５に示すように、実施例２に係る携帯電話機２００は、実施例１に係る携帯電話機１００の各ブロックに加えて、録画開始判定部２２４を備える。また、データ部２２２には、録画開始判定部２２４において、録画開始判定に用いられる登録画像が予め格納されている。
【００４８】
録画開始判定部２２４は、３Ｇテレビ電話又はＬＴＥテレビ電話によって受信された受信信号をエンコーダ／デコーダ制御部２０８でデコードして得られた動画像と、データ部２２２に格納された登録画像とに基づいて、録画を開始するか否かを判定する。例えば、録画開始判定部２２４は、リアルタイムで受信した動画像と、データ部２２２に格納された登録画像とを比較し、動画像の中に登録画像と近い画像が検出されたら、録画を開始する。言い換えれば、録画開始判定部２２４は、テレビ電話通信の内容が予め設定した条件に該当するか否かを監視し、予め設定した条件に該当することが検知された場合に、録画の要求を受け付けるテレビ電話制御部２１０に対して録画要求を発行する。
【００４９】
なお、ある動画像の中から特定の登録画像を検索して表示する手法は、例えば、特開２００４−１４５５６４号公報に記載されている。録画開始判定部２２４は、例えば、特開２００４−１４５５６４号公報に記載されている技術を用いることにより、リアルタイムで受信している動画像の中に登録画像が含まれるか否かを検出して、録画を開始するか否かを判定することができる。
【００５０】
続いて、実施例２に係る携帯電話機の処理を説明する。図６は、実施例２に係る携帯電話機の処理を示すフローチャートである。なお、図６は、携帯電話機Ｂのユーザが携帯電話機Ｂに予めキーとなる登録画像を登録しており、携帯電話機Ｂにおいて録画が行われる例を挙げて説明する。例えば、携帯電話機Ｂのユーザは、携帯電話機Ａのユーザの顔の画像又は携帯電話機Ａのユーザが撮像する風景の画像を、登録画像として予め登録しているものとする。
【００５１】
まず、携帯電話機Ａは、３Ｇ用の基地局を介して携帯電話機Ｂへ３Ｇテレビ電話を発信（発呼）する（ステップＳ３０１）。これに対して、携帯電話機Ｂは、携帯電話機Ａから発呼された３Ｇテレビ電話を着信する（ステップＳ３０２）。携帯電話機Ｂは、３Ｇ用の基地局を介して携帯電話機Ａに対して３Ｇテレビ電話の接続許可を行う（ステップＳ３０３）。これによって、携帯電話機Ａと携帯電話機Ｂとは、３Ｇ用の基地局を介して相互に３Ｇテレビ電話を開始する（ステップＳ３０４）。
【００５２】
携帯電話機Ｂは、携帯電話機Ａから送信される動画像とデータ部２２２に予め格納した登録画像との差分が、あらかじめ設定された閾値以下であるか否かを判定する（ステップＳ３０５）。携帯電話機Ｂは、動画像と登録画像との差分があらかじめ設定された閾値より大きい場合には（ステップＳ３０５でＮｏ）、ステップＳ３０５へ戻って処理を継続する。一方、携帯電話機Ｂは、動画像と登録画像との差分があらかじめ設定された閾値以下の場合には（ステップＳ３０５でＹｅｓ）、３Ｇ用の基地局を介して携帯電話機ＡにＬＴＥテレビ電話の送信要求を行う（ステップＳ３０６）。つまり、携帯電話機Ｂは、携帯電話機Ａから送信される動画像の中に登録画像に似た画像が検出された場合に、３Ｇ用の基地局を介して携帯電話機ＡにＬＴＥテレビ電話の送信要求を行う。なお、図６においては、説明の便宜上、動画像と登録画像との差分があらかじめ設定された閾値以下と判定されてから（ステップＳ３０５でＹｅｓ）、ＬＴＥテレビ電話が開始されるまでの詳細な処理を省略している。動画像と登録画像との差分があらかじめ設定された閾値以下と判定されてから（ステップＳ３０５でＹｅｓ）、ＬＴＥテレビ電話が開始されるまでの詳細な処理は、図３におけるステップＳ１０６〜ステップＳ１１８と同様である。
【００５３】
これによって、携帯電話機Ａと携帯電話機Ｂとは、ＬＴＥ用の基地局を介して相互にＬＴＥテレビ電話を開始する（ステップＳ３０７）。すると、携帯電話機Ａは、ＬＴＥ用の基地局を介して、ＬＴＥテレビ電話の送信を開始する（ステップＳ３０８）。携帯電話機Ｂは、携帯電話機Ａから送信されたＬＴＥテレビ電話を録画する（ステップＳ３０９）。
【００５４】
携帯電話機Ｂは、携帯電話機Ａから送信される動画像とデータ部２２２に予め格納した登録画像との差分が、あらかじめ設定された閾値より大きいか否かを判定する（ステップＳ３１０）。携帯電話機Ｂは、動画像と登録画像との差分があらかじめ設定された閾値以下の場合には（ステップＳ３１０でＮｏ）、ステップＳ３１０へ戻って処理を継続する。つまり、携帯電話機Ｂにおける録画処理は継続される。一方、携帯電話機Ｂは、動画像と登録画像との差分があらかじめ設定された閾値より大きい場合には（ステップＳ３１０でＹｅｓ）、ＬＴＥテレビ電話による通話を終了する（ステップＳ３１１）。
【００５５】
携帯電話機Ｂは、３Ｇテレビ電話に戻るか否かを判定する（ステップＳ３１２）。例えば、携帯電話機Ｂは、表示部１０６に３Ｇテレビ電話に戻るか否かを選択すべき旨の表示を行い、ユーザにいずれかを選択させる。そして、携帯電話機Ｂは、入力制御部２１８を介して入力された信号が、３Ｇテレビ電話に戻ることを示している場合には（ステップＳ３１２でＹｅｓ）、ステップＳ３０５へ戻ってステップＳ３０５以降の処理を繰り返す。一方、携帯電話機Ａおよび携帯電話機Ｂは、入力制御部２１８を介して入力された信号が、３Ｇテレビ電話に戻らないことを示している場合には（ステップＳ３１２でＮｏ）、３Ｇテレビ電話を終了する（ステップＳ３１３）。
【００５６】
以上、実施例２の携帯電話機は、第１実施例の携帯電話と同様に、３Ｇテレビ電話による通話中に録画要求を受け付けた場合に、３Ｇテレビ電話からＬＴＥテレビ電話へ切り替えて、ＬＴＥ動画像を録画する。これにより、実施例２の携帯電話機は、ユーザのニーズに応じた高画質な動画像を記憶媒体へ録画することができる。なお、実施例２は、３Ｇテレビ電話による通話中に録画要求を受け付けた場合に、３Ｇテレビ電話からＬＴＥテレビ電話へ切り替えて、ＬＴＥ動画像を録画する例を示したが、これには限られない。例えば、携帯電話機２００は、ＬＴＥテレビ電話による通話中に録画要求を受け付けた場合に、ＬＴＥテレビ電話から３Ｇテレビ電話へ切り替えて、３Ｇ動画像を録画することもできる。これによれば、無線通信環境に応じて通信負荷を軽減することができるとともに、携帯電話機の記憶媒体の録画容量の節約を実現することができる。これに加えて、実施例２の携帯電話機１００は、ユーザが録画したい対象の画像を予め登録することにより、例えばユーザが携帯電話機の録画ボタンを押下するなどの操作をすることなく、自動で動画像を録画することができる。
【実施例３】
【００５７】
次に、実施例３に係る携帯電話機について説明する。実施例３に係る携帯電話機は、３Ｇ・ＬＴＥ切り替え制御部２０４の処理内容が実施例１に係る携帯電話機と異なる以外は実施例１と同様であるため、実施例１と重複する説明を省略する。
【００５８】
３Ｇ・ＬＴＥ切り替え制御部２０４は、例えばユーザから録画要求を受けた際の無線通信方式と、録画要求を受けた際のＲＯＭ１３２、ＲＡＭ１３４、又はＳＤカード１３６などの記憶媒体の空き容量とに基づいて、無線通信方式を切り替えるか否かを判定する。例えば、録画対象の画像を格納する記憶媒体がＲＡＭ１３４であったとすると、３Ｇ・ＬＴＥ切り替え制御部２０４は、ユーザから録画要求を受けた際の無線通信方式とＲＡＭ１３４の空き容量とを確認する。
【００５９】
３Ｇ・ＬＴＥ切り替え制御部２０４は、ユーザから録画要求を受けた際の無線通信方式が３Ｇ通信方式であって、かつ、ＲＡＭ１３４の空き容量があらかじめ設定した閾値以上の場合には、３Ｇ無線方式からＬＴＥ無線方式へ切り替えると判定する。つまり、３Ｇ・ＬＴＥ切り替え制御部２０４は、ＲＡＭ１３４の空き容量が充分残されており、高画質のＬＴＥテレビ電話による動画を録画してもＲＡＭ１３４の空き容量がすぐには枯渇しないので、３Ｇ無線方式からＬＴＥ無線方式へ切り替えると判定する。
【００６０】
一方、３Ｇ・ＬＴＥ切り替え制御部２０４は、ユーザから録画要求を受けた際の無線通信方式が３Ｇ通信方式であって、かつ、ＲＡＭ１３４の空き容量があらかじめ設定した閾値より少ない場合には、３Ｇ無線方式からＬＴＥ無線方式へ切り替えないと判定する。つまり、３Ｇ・ＬＴＥ切り替え制御部２０４は、ＲＡＭ１３４の空き容量が充分残されておらず、高画質のＬＴＥテレビ電話による動画を録画したらＲＡＭ１３４の空き容量がすぐに枯渇するので、３Ｇ無線方式からＬＴＥ無線方式へ切り替えないと判定する。この場合、携帯電話機は、例えば、表示部１０６に３Ｇテレビ電話で録画するか否かを選択すべき旨の表示を行って、ユーザにいずれかを選択させることにより、３Ｇテレビ電話で録画するか否かを判定することもできる。
【００６１】
続いて、実施例３に係る携帯電話機の処理を説明する。図７，図８は、実施例３に係る携帯電話機の処理を示すフローチャートである。図７は、３Ｇ・ＬＴＥ切り替え制御部２０４が３Ｇ通信方式からＬＴＥ通信方式へ切り替えると判定した場合のフローチャートである。図８は、３Ｇ・ＬＴＥ切り替え制御部２０４が３Ｇ通信方式からＬＴＥ通信方式へ切り替えないと判定した場合のフローチャートである。
【００６２】
図７に示すように、まず、携帯電話機Ａは、３Ｇ用の基地局を介して携帯電話機Ｂへ３Ｇテレビ電話を発信（発呼）する（ステップＳ４０１）。これに対して、携帯電話機Ｂは、携帯電話機Ａから発呼された３Ｇテレビ電話を着信する（ステップＳ４０２）。携帯電話機Ｂは、３Ｇ用の基地局を介して携帯電話機Ａに対して３Ｇテレビ電話の接続許可を行う（ステップＳ４０３）。これによって、携帯電話機Ａと携帯電話機Ｂとは、３Ｇ用の基地局を介して相互に３Ｇテレビ電話を開始する（ステップＳ４０４）。
【００６３】
携帯電話機Ａは、携帯電話機Ａの録画ボタンの押下を検出することにより、３Ｇテレビ電話中にユーザからテレビ電話通信の内容の記録を要求する録画要求を受け付ける（ステップＳ４０５）。携帯電話機Ａは、録画要求を受け付けたら、携帯電話機ＡがＬＴＥ網に在圏しており、かつ、携帯電話機Ａのバッテリーがあらかじめ設定された閾値以上であるか否かを判定する（ステップＳ４０６）。携帯電話機Ａは、携帯電話機ＡがＬＴＥ網に在圏していないか、又は、携帯電話機Ａのバッテリーがあらかじめ設定された閾値より少ない場合には（ステップＳ４０６でＮｏ）、ステップＳ４０５へ戻る。
【００６４】
一方、携帯電話機Ａは、携帯電話機ＡがＬＴＥ網に在圏しており、かつ、携帯電話機Ａのバッテリーがあらかじめ設定された閾値以上である場合には（ステップＳ４０６でＹｅｓ）、録画対象の画像を格納するメモリ（記憶媒体）残量があらかじめ設定された閾値以上であるか否かを判定する（ステップＳ４０７）。携帯電話機Ａは、メモリ残量があらかじめ設定された閾値より少ない場合には（ステップＳ４０７でＮｏ）、ステップＳ４０５へ戻る。携帯電話機Ａは、メモリ残量があらかじめ設定された閾値以上の場合には（ステップＳ４０７でＹｅｓ）、３Ｇ用の基地局を介して携帯電話機ＢへＬＴＥテレビ電話の接続要求を送信する（ステップＳ４０８）。
【００６５】
これに対して携帯電話機Ｂは、３Ｇ用の基地局を介して携帯電話機ＡからＬＴＥテレビ電話の接続要求を受信する（ステップＳ４０９）。携帯電話機Ｂは、携帯電話機ＢがＬＴＥ網に在圏しており、かつ、携帯電話機Ｂのバッテリーがあらかじめ設定された閾値以上であるか否かを判定する（ステップＳ４１０）。携帯電話機Ｂは、携帯電話機ＢがＬＴＥ網に在圏していないか、又は、携帯電話機Ｂのバッテリーがあらかじめ設定された閾値より少ない場合には（ステップＳ４１０でＮｏ）、ステップＳ４０９へ戻る。一方、携帯電話機Ｂは、携帯電話機ＢがＬＴＥ網に在圏しており、かつ、携帯電話機Ｂのバッテリーが予め設定された閾値以上である場合には（ステップＳ４１０でＹｅｓ）、３Ｇ用の基地局を介してＬＴＥテレビ電話の接続許可の応答を行う（ステップＳ４１１）。
【００６６】
携帯電話機Ｂは、３Ｇ用の基地局に対して３Ｇデタッチ要求を行う（ステップＳ４１２）。同様に、携帯電話機Ａは、３Ｇ用の基地局に対して３Ｇデタッチ要求を行う（ステップＳ４１３）。
【００６７】
携帯電話機Ｂは、ＬＴＥ用の基地局に対してＬＴＥアタッチの要求を行う（ステップＳ４１４）。同様に、携帯電話機Ａは、ＬＴＥ用の基地局に対してＬＴＥアタッチの要求を行う（ステップＳ４１５）。
【００６８】
携帯電話機Ｂは、ＬＴＥ用の基地局からＬＴＥアタッチが正常に行われたことを示す信号を受信する（ステップＳ４１６）。同様に、携帯電話機Ａは、ＬＴＥ用の基地局からＬＴＥアタッチが正常に行われたことを示す信号を受信する（ステップＳ４１７）。
【００６９】
携帯電話機Ａは、ＬＴＥ用の基地局を介して携帯電話機Ｂに対してベアラ接続要求を行う（ステップＳ４１８）。これに対して、携帯電話機Ｂは、ＬＴＥ用の基地局を介して携帯電話機Ａに対してベアラ接続応答を行う（ステップＳ４１９）。これによって、携帯電話機Ａと携帯電話機Ｂとは、ＬＴＥ用の基地局を介して相互にＬＴＥテレビ電話を開始する（ステップＳ４２０）。携帯電話機Ａと携帯電話機Ｂとが、ＬＴＥ用の基地局を介して相互にＬＴＥテレビ電話を開始した後の処理は、図４と同様であるので説明を省略する。
【００７０】
一方、図８に示すように、まず、携帯電話機Ａは、３Ｇ用の基地局を介して携帯電話機Ｂへ３Ｇテレビ電話を発信（発呼）する（ステップＳ５０１）。これに対して、携帯電話機Ｂは、携帯電話機Ａから発呼された３Ｇテレビ電話を着信する（ステップＳ５０２）。携帯電話機Ｂは、３Ｇ用の基地局を介して携帯電話機Ａに対して３Ｇテレビ電話の接続許可を行う（ステップＳ５０３）。これによって、携帯電話機Ａと携帯電話機Ｂとは、３Ｇ用の基地局を介して相互に３Ｇテレビ電話を開始する（ステップＳ５０４）。
【００７１】
携帯電話機Ａは、携帯電話機Ａの録画ボタンの押下を検出することにより、３Ｇテレビ電話中にユーザからテレビ電話通信の内容の記録を要求する録画要求を受け付ける（ステップＳ５０５）。携帯電話機Ａは、録画要求を受け付けたら、携帯電話機ＡがＬＴＥ網に在圏しており、かつ、携帯電話機Ａのバッテリーがあらかじめ設定された閾値以上であるか否かを判定する（ステップＳ５０６）。携帯電話機Ａは、携帯電話機ＡがＬＴＥ網に在圏していないか、又は、携帯電話機Ａのバッテリーがあらかじめ設定された閾値より少ない場合には（ステップＳ５０６でＮｏ）、ステップＳ５０５へ戻る。
【００７２】
一方、携帯電話機Ａは、携帯電話機ＡがＬＴＥ網に在圏しており、かつ、携帯電話機Ａのバッテリーが予め設定された閾値以上である場合には（ステップＳ５０６でＹｅｓ）、記憶媒体の残量が予め設定された閾値より少ないか否かを判定する（ステップＳ５０７）。携帯電話機Ａは、例えば、録画対象の画像を格納するメモリ残量が予め設定された閾値より少ないか否かを判定する。携帯電話機Ａは、メモリ残量があらかじめ設定された閾値以上の場合には（ステップＳ５０７でＮｏ）、ＬＴＥテレビ電話録画処理を行う（ステップＳ５０８）。ＬＴＥテレビ電話録画処理は、図７のステップＳ４０８〜ステップＳ４２０により３Ｇ通信方式からＬＴＥ通信方式へ切り替え、図４で説明した処理と同様にしてＬＴＥテレビ電話による受信動画を記憶媒体に格納する処理である。
【００７３】
携帯電話機Ａは、メモリ残量があらかじめ設定された閾値より少ない場合には（ステップＳ５０７でＹｅｓ）、３Ｇテレビ電話で録画を行うかを判定する（ステップＳ５０９）。例えば、携帯電話機Ａは、表示部１０６にメモリ残量が少ないのでＬＴＥに切り替えない旨、及び３Ｇテレビ電話で録画を行うか否かを選択すべき旨の表示を行い、ユーザにいずれかを選択させる。そして、携帯電話機Ａは、入力制御部２１８を介して入力された信号が、３Ｇテレビ電話で録画を行わないことを示している場合には（ステップＳ５０９でＮｏ）、ステップＳ５０５へ戻ってステップＳ５０５以降の処理を繰り返す。一方、携帯電話機Ａは、入力制御部２１８を介して入力された信号が、３Ｇテレビ電話で録画を行うことを示している場合には（ステップＳ５０９でＹｅｓ）、３Ｇ用の基地局を介して、３Ｇテレビ電話の録画要求を携帯電話機Ｂへ送信する（ステップＳ５１０）。
【００７４】
携帯電話機Ｂは、３Ｇ用の基地局を介して携帯電話機Ａから３Ｇテレビ電話の録画要求を受信する（ステップＳ５１１）。携帯電話機Ｂは、携帯電話機Ｂのバッテリーがあらかじめ設定された閾値以上であるか否かを判定する（ステップＳ５１２）。携帯電話機Ｂは、携帯電話機Ｂのバッテリーがあらかじめ設定された閾値より少ない場合には（ステップＳ５１２でＮｏ）、ステップＳ５１１へ戻る。
【００７５】
一方、携帯電話機Ｂは、携帯電話機Ｂのバッテリーがあらかじめ設定された閾値以上の場合には（ステップＳ５１２でＹｅｓ）、３Ｇ用の基地局を介して、３Ｇテレビ電話の録画許可の応答を携帯電話機Ａへ行う（ステップＳ５１３）。携帯電話機Ａは、携帯電話機Ｂから３Ｇテレビ電話の録画許可の応答を受信したら３Ｇテレビ電話の録画を開始する（ステップＳ５１４）。
【００７６】
以上、実施例３の携帯電話機は、図７に示すように、第１実施例の携帯電話と同様に、３Ｇテレビ電話による通話中に録画要求を受け付けた場合に、３Ｇテレビ電話からＬＴＥテレビ電話へ切り替えて、ＬＴＥ動画像を録画する。これにより、実施例３の携帯電話機は、ユーザのニーズに応じた高画質な動画像を記憶媒体へ録画することができる。なお、実施例３は、図７に示すように、３Ｇテレビ電話による通話中に録画要求を受け付けた場合に、３Ｇテレビ電話からＬＴＥテレビ電話へ切り替えて、ＬＴＥ動画像を録画する例を示したが、これには限られない。例えば、携帯電話機は、ＬＴＥテレビ電話による通話中に録画要求を受け付けた場合に、ＬＴＥテレビ電話から３Ｇテレビ電話へ切り替えて、３Ｇ動画像を録画することもできる。これによれば、無線通信環境に応じて通信負荷を軽減することができるとともに、携帯電話機の記憶媒体の録画容量の節約を実現することができる。
【００７７】
これに加えて、実施例３の携帯電話機は、ユーザから録画要求を受けた際の無線通信方式が３Ｇ通信方式であって、かつ、記憶媒体の空き容量があらかじめ設定した閾値以上の場合には、３Ｇ無線方式からＬＴＥ無線方式へ切り替えると判定する。これによれば、携帯電話機は、記憶媒体の空き容量が充分残されており、高画質のＬＴＥテレビ電話による動画を録画しても記憶媒体の空き容量がすぐには枯渇しないと判断できるので、ユーザのニーズに対応する高画質の動画を録画することができる。一方、実施例３の携帯電話機は、ユーザから録画要求を受けた際の無線通信方式が３Ｇ通信方式であって、かつ、記憶媒体の空き容量があらかじめ設定した閾値より少ない場合には、３Ｇ無線方式からＬＴＥ無線方式へ切り替えないと判定する。これによれば、携帯電話機は、記憶媒体の空き容量が充分残されておらず、高画質のＬＴＥテレビ電話による動画を録画したら記憶媒体の空き容量がすぐに枯渇すると判断できるので、録画を開始してから比較的短時間で録画が終了されるのを回避することができる。携帯電話機は、例えば表示部１０６にメモリ残量が少ないのでＬＴＥ通信方式に切り替えない旨、及びユーザに３Ｇテレビ電話による動画を録画するか否かを選択すべき旨の表示を行うことができる。これによれば、例えば、ＬＴＥ無線方式の動画より画質が劣るとしても３Ｇ通信方式の動画を録画したいというユーザの意思に応じて、比較的少ない記憶媒体の空き容量を活用することができる。
【符号の説明】
【００７８】
１００，２００  携帯電話機
１０４  ３Ｇ無線通信部
１０５  ＬＴＥ無線通信部
１０６  表示部
１３０  メモリ
１３８  キー制御部
１４０  プロセッサ
２０２  ３Ｇ無線制御部
２０３  ＬＴＥ無線制御部
２０４  ３Ｇ・ＬＴＥ切り替え制御部
２０６  呼制御部
２０８  エンコーダ／デコーダ制御部
２１０  テレビ電話制御部
２１４  ＬＴＥ画像録画部
２１６  ３Ｇ画像録画部
２１８  入力制御部
２２４  録画開始判定部
【図１】
2012199712.tif 000003
【図２】
2012199712.tif 000004
【図３】
2012199712.tif 000005
【図４】
2012199712.tif 000006
【図５】
2012199712.tif 000007
【図６】
2012199712.tif 000008
【図７】
2012199712.tif 000009
【図８】
2012199712.tif 000010